(57)【要約】【課題】ミスト生成装置の水溜め容器に貯留された水が、たとえ長期間放置されても、あるいは、強制的に排除されなくても、そこでカビや菌が繁殖することがないようにすることのできるドラム式洗濯乾燥機を提供する。【解決手段】水溜め容器３１を有し、この水溜め容器３１に貯留された水２１に超音波振動を加えることによりミスト２０を発生させるミスト生成装置３０と、すすぎ工程において、金属イオンが溶出された水を回転ドラム４内に供給し、洗濯物に金属イオンを付着させて除菌・抗菌効果を付与するための金属イオンを溶出させるイオン溶出装置３７と、を備え、ミスト生成装置３０とイオン溶出装置３７とが同じ注水ホース３４を通じて接続され、かつ、イオン溶出装置３７を上流側にして直列に配置されている。【選択図】図３
2008220561.tif 000002
【特許請求の範囲】
【請求項１】
多数の透孔が形成され、洗濯物を収容して回転駆動される回転ドラムが水槽内に設けられ、該水槽内への給水、排水および前記回転ドラムの回転の制御により洗濯、すすぎ、脱水の各工程を実施するとともに、送風手段により前記水槽内の空気を除湿手段および加熱手段を備えた循環送風経路を通して循環させることにより洗濯物の乾燥工程を実施するドラム式洗濯乾燥機において、
水溜め容器を有し、該水溜め容器に貯留された水に超音波振動を加えることによりミストを発生させるミスト生成装置と、
すすぎ工程において、金属イオンが溶出された水を回転ドラム内に供給し、洗濯物に金属イオンを付着させて除菌・抗菌効果を付与するための、金属イオンを溶出させるイオン溶出装置と、を備え、
前記ミスト生成装置と前記イオン溶出装置とが同じ給水経路を通じて接続され、かつ、前記イオン溶出装置を上流側にして直列に配置されていることを特徴とするドラム式洗濯乾燥機。
【請求項２】
前記給水経路において、前記イオン溶出装置が前記ミスト生成装置よりも上流側に配置され、
前記ミスト生成装置で発生したミストを前記回転ドラム内に送り込んで、洗濯物のシワのばし工程を実施した後に、前記ミスト生成装置の前記水溜め容器に、前記イオン溶出装置により生成された金属イオンが溶出した水を供給して貯留することを特徴とする請求項１に記載のドラム式洗濯乾燥機。
【発明の詳細な説明】
【技術分野】
【０００１】
本発明は、ミスト生成装置を備え、乾燥された衣類等の洗濯物にミストを供給して、衣類等に入ったシワを低減するドラム式洗濯乾燥機に関するものである。
【背景技術】
【０００２】
従来、乾燥工程で、衣類等の洗濯物が入った回転ドラムを高速度で回転させ、乾燥させる間において、洗濯物が回転ドラムの内側壁などに張り付きながら乾燥されるため、乾燥された後の衣類等にシワが入るのが避けられず、このような衣類等をさらにハンガー等に架けて干す際にシワを伸ばすための手間を加えたり、さらにその後にアイロンがけを行ったりといったことが必要であった。
【０００３】
そこで、最近、微細な液滴からなるミストを発生するミスト生成装置を備え、衣類等の入った回転ドラムにミストを導入して、乾燥工程で衣類等に入った静電気やシワを低減する洗濯乾燥機が開発されており、例えば、下記特許文献１に示されるような構成を有するものが知られている。
【０００４】
特許文献１に開示された洗濯乾燥機４０では、図９に示すように、筐体４１内部に弾性的に吊支した外槽４２と、外槽４２内に回転自在に配設されて洗濯物を収容する内槽４３と、内槽４３内に温風を送風する送風手段４４（循環用送風機）と、送風手段４４により送風される空気を加熱する加熱手段４５と、熱交換器を有し、送風手段４４による温風を循環させる温風循環経路４６とを備え、噴霧装置４７が、温風循環経路４６（温風供給路）の加熱手段４５（ヒータ）を経た内槽４３への温風供給口４８近傍に設けられ、乾燥工程において温風循環経路内へミストを噴霧するよう構成されている。そして、乾燥工程にて衣類を撹拌した際に発生する静電気を除去し、静電気による人体への不快感を解消するとともに、乾燥終了後の衣類のシワを低減することができるとされている。
【０００５】
また、最近の洗濯乾燥機では、洗濯物に除菌・抗菌効果を有する金属イオン（例えば、Ａｇイオン）を付着させることのできる「Ａｇコース」が選択可能に備えられており、「Ａｇコース」を選択した場合には、すすぎ工程での最終のすすぎステップにおいて、イオン溶出装置で生成された金属イオンが溶出した水が、給水経路あるいは送風経路を介して回転ドラム内に送り込まれ、この給水経路とは別の洗剤容器を経て同じく回転ドラム内に供給される水で希釈されて、洗濯物のすすぎが実施される。そして、この洗濯物を乾燥することにより、洗濯物に除菌・抗菌効果を付与している。
【０００６】
そして、さらに、ミストの源となる水の中に金属イオンを溶出させるイオン溶出ユニットを備え、金属イオンが溶出された水をミスト化し、これを洗濯物に吹きかけて抗菌処理を行う洗濯乾燥機が開発されており、例えば、下記特許文献２に示されるような構成を有するものが知られている。
【０００７】
特許文献２に開示された洗濯乾燥機５０では、図１０に示すように、乾燥対象を入れる密閉乾燥室５１（回転ドラム）と、この密閉乾燥室５１内の空気を除湿する除湿手段５２（ミスト生成装置５３にて構成）と、密閉乾燥室５１内の乾燥対象に吹きかけるミストを生成するミスト生成装置５３と、ミストの源となる水の中に金属イオンを溶出させるイオン溶出ユニット５４とを備えている。洗濯・すすぎ・脱水工程を終了して洗濯物を乾燥するときは、回転ドラムの内部は密閉乾燥室５１として機能する。密閉乾燥室５１内の空気は循環ダクト５５の途中に設けられた送風機５６によって循環ダクト５５に吸い込まれ、ヒータ５７で温風化されて、再び密閉乾燥室５１に吹き込まれる。洗濯物から水分を奪った温風は循環ダクト５５の一部に設けられた冷却室５８で除湿水に接触し、除湿される。除湿水を噴霧するのはミスト生成装置５３である。ミスト生成装置５３は、乾燥工程ではイオン溶出ユニット５４を通ってきた金属イオン水をミスト化し、洗濯物に吹きかけて抗菌処理を行うように構成されている。
【特許文献１】特開２００３−３１１０６７号公報
【特許文献２】特開２００６−１４１５７９号公報
【発明の開示】
【発明が解決しようとする課題】
【０００８】
ミスト生成装置により発生するミストは、その粒径により浮遊性や表面張力（濡れ性）などの特性が異なる。すなわち、粒径１０μｍ未満の超微細ミストは、ドライミストとも呼ばれ、極めて微細であるため、表面張力が高く、浮遊性が高いが、物に付着したときの濡れ性が低いといった特徴を有している。粒径１０〜５０μｍの微細ミストは、ウェットミストとも呼ばれ、上記のドライミストと比較して粒子径が相対的に大きいため、表面張力が弱く、物に付着したときの濡れ性が高いといった特徴を有している。粒径５０μｍを越える比較的粗大なミストは、水滴に近い性質を持っている。
【０００９】
これらの中で、濡れ性に優れたウェットミストは、洗濯物である衣類等に付着して効率的に洗濯物を湿らせながら、乾燥過程で衣類等のシワを低減させることができるので、このウェットミストを多く含むミストを回転ドラム槽内に充満させることが、衣類等のシワを低減させる効果を得る上で重要である。また、ミスト生成装置で発生するミストを衣類の置かれた場所にまで導き入れる際に、導入管路の管壁等にできるだけ衝突させることなく、すなわち、管壁等に凝結して損失されることなく、効率的に多くのミストを衣類の置かれた場所に送り込むことが重要である。
【００１０】
上記の特許文献１で開示された洗濯乾燥機では、このような観点が欠如しており、したがって、必ずしも効率良く衣類等のシワを低減させたり、乾燥・脱臭したりすることができなかった。
【００１１】
しかも、特許文献１に開示された洗濯乾燥機４０では、送風手段４４が加熱手段４５の上流側で、噴霧装置４７に対向するように配置されており、送風手段４４で発生した温風が噴霧装置４７に直接当たるように構成されている。したがって、噴霧装置４７から噴霧されたミストの一部はそのまま内槽４３内の衣類に達するものの、その他の大部分は温風循環経路４６の内壁面４６ａに衝突し、多くが内壁面４６ａで凝縮して水滴となって損失された後、内槽４３へ達することになる。この洗濯乾燥機４０では、ミストが内壁面４６ａに衝突するときの破砕効果によりマイナスイオンが発生して静電気の除電効果を高めることができるとしているが、噴霧装置４７から噴霧されたミストの大部分が途中で消失して内槽４３内の衣類にまで届かず、衣類を湿らせて、シワを有効に低減するのは困難であるという問題があった。
【００１２】
また、特許文献２に開示された洗濯乾燥機５０では、乾燥工程において金属イオンが溶出された微小な水滴からなるミストを洗濯物に吹きかけるとしているが、ミスト生成装置５３で発生させた金属イオンを含むミストは、長い循環ダクト５５を通って、しかも、この循環ダクト５５の途中に設けられた送風機５６やヒータ５７を通って、密閉乾燥室５１内に導入されるため、ミストの殆どは循環ダクト５５の途中で消失されることになる。したがって、この洗濯乾燥機５０においても、金属イオンを含むミストを洗濯物に効率良く吹きかけ、シワを有効に低減するのは困難であり、金属イオンによる抗菌効果を十分に発現させることができない。特許文献２には、ミスト生成装置を循環ダクトの出口付近に配置する実施例も開示されているが、この実施例の場合には、金属イオン溶出装置の噴射ノズルがミスト生成装置から遠く離れた循環ダクトの途中に配置されており、金属イオンが溶出された水自体がミスト生成装置に殆ど到達しない。
【００１３】
そして、従来の洗濯乾燥機では、ミスト生成装置で発生したミストを回転ドラム内に送り込んで、洗濯物の「シワのばし工程」を実施した後は、ミスト生成装置の水溜め容器への給水を停止し、そのまま放置していた。このため、水溜め容器に貯留された水が除去されずに長期間放置された場合には、水にカビや菌が繁殖することがあった。そして、次に洗濯乾燥機を運転する際にこのようなカビや菌が繁殖した水を洗濯工程で使用すると、洗濯乾燥を終えた衣類にカビ臭さが残るといった問題があった。また、これを防止するために、洗濯物の「シワのばし工程」を実施した後に、水溜め容器に貯留された水を強制的に排除することも考えられるが、そのためには水溜め容器内の水を排除する機構（排水経路や開閉弁など）を設けたり、そのための制御を追加したりする必要があり、また、排除し切れなかった水が残留して水垢となって水溜め容器内に付着して残るといった問題があった。また、水溜め容器内の水を蒸発させて除去しようとすれば、水溜め容器の容量を余り大きくできず、ミストの発生量を減少させてしまうという問題が生じる。
【００１４】
本発明は、以上のような課題に鑑みて為されたものであり、ミスト生成装置の水溜め容器に貯留された水が、たとえ長期間放置されても、あるいは、強制的に排除されなくても、そこでカビや菌が繁殖することがないようにすることのできるドラム式洗濯乾燥機を提供することを目的としている。
【課題を解決するための手段】
【００１５】
請求項１に係る発明のドラム式洗濯乾燥機は、多数の透孔が形成され、洗濯物を収容して回転駆動される回転ドラムが水槽内に設けられ、該水槽内への給水、排水および前記回転ドラムの回転の制御により洗濯、すすぎ、脱水の各工程を実施するとともに、送風手段により前記水槽内の空気を除湿手段および加熱手段を備えた循環送風経路を通して循環させることにより洗濯物の乾燥工程を実施するドラム式洗濯乾燥機において、水溜め容器を有し、該水溜め容器に貯留された水に超音波振動を加えることによりミストを発生させるミスト生成装置と、すすぎ工程において、金属イオンが溶出された水を回転ドラム内に供給し、洗濯物に金属イオンを付着させて除菌・抗菌効果を付与するための、金属イオンを溶出させるイオン溶出装置と、を備え、前記ミスト生成装置と前記イオン溶出装置とが同じ給水経路を通じて接続され、かつ、前記イオン溶出装置を上流側にして直列に配置されていることを特徴とするものである。
【００１６】
請求項１に係る発明のドラム式洗濯乾燥機によれば、イオン溶出装置がミスト生成装置の上流側に配置され、同じ給水経路で接続されているため、イオン溶出装置で溶出された金属イオンを含む水をミスト生成装置の水溜め容器に供給することができ、金属イオンの除菌・抗菌作用により、水溜め容器に貯留された水にカビや菌が繁殖することがないようにすることができる。
【００１７】
また、すすぎ工程における最終のすすぎステップで、水溜め容器に貯留された金属イオンを含む水を水溜め容器から回転ドラム内に送給するようにすれば、金属イオンを含む水を洗濯物の内部に浸透させ、その後、乾燥させた衣類に金属イオンを付着させて所望の除菌・抗菌効果を付与することができる。
【００１８】
請求項２の発明に係るドラム式洗濯乾燥機は、請求項１に記載のドラム式洗濯乾燥機において、前記給水経路において、前記イオン溶出装置が前記ミスト生成装置よりも上流側に配置され、前記ミスト生成装置で発生したミストを前記回転ドラム内に送り込んで、洗濯物のシワのばし工程を実施した後に、前記ミスト生成装置の前記水溜め容器に、前記イオン溶出装置により生成された金属イオンが溶出した水を供給して貯留することを特徴とするものである。
【００１９】
請求項２の発明に係るドラム式洗濯乾燥機によれば、洗濯物のシワのばし工程を実施した後に、イオン溶出装置で溶出された金属イオンを含む水をミスト生成装置の水溜め容器に供給して貯留することにより、ミスト生成装置に貯留された水を除去せずに長期間放置しても、あるいは、強制的に排除しなくても、水溜め容器に貯留された水にカビや菌が繁殖することがないようにすることができる。
【００２０】
ミスト生成装置を作動させた後に、水溜め容器内に貯留されている水を強制的に排出しようとすれば、水溜め容器内の水を排除する機構（排水経路や開閉弁など）を設けたり、そのための制御を追加したりする必要があり、また、排除し切れなかった水が残留して水垢となって水溜め容器内に付着して残るといった問題があった。また、水溜め容器内の水を蒸発させて除去しようとすれば、水溜め容器の容量を余り大きくできず、ミストの発生量を減少させてしまうという問題が生じる。これらに対して、本実施の形態では、ミスト生成装置およびイオン溶出装置に水を供給する給水経路の上流側に一つの開閉弁を配設するだけでよく、この開閉弁を共通化させることにより部品点数を減らし、給水経路を簡単な構成とすることが可能となるので、製造コストを低減することができる。
【００２１】
さらに、ミスト生成装置におけるミストの生成、およびイオン溶出装置における金属イオンの溶出は、電気的に制御可能であり、給水経路が同じであっても、ミストの生成および／または金属イオンの溶出を行う、あるいはミストの生成も金属イオンの溶出も行わないといったプロセスの選定を容易に実現することができる。
【発明の効果】
【００２２】
本発明によれば、ミスト生成装置の水溜め容器に貯留された水が、たとえ長期間放置されても、あるいは、強制的に排除されなくても、そこでカビや菌が繁殖することがないようにすることができる。
【発明を実施するための最良の形態】
【００２３】
以下、本発明のドラム式洗濯乾燥機に係る最良の実施の形態について、図面に基づき説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２４】
まず、本発明の実施の形態に係るミスト生成装置を備えたドラム式洗濯乾燥機の構造・動作について、図１〜図４に基づき詳細に説明する。図１は、本発明の実施の形態に係るドラム式洗濯乾燥機の構造を説明するための側面断面図であり、図２は、ドラム式洗濯乾燥機の循環送風経路およびミスト生成装置の配置を説明するための筐体背面側から見た斜視図である。また、図３は、ドラム式洗濯乾燥機のミスト生成装置金属およびイオン溶出装置との接続構造を説明するための筐体背面側から見た一部を切り欠いて示す断面図であり、図４は、ドラム式洗濯乾燥機のミスト生成装置と水槽との接続構造を説明するための側面断面図である。
【００２５】
まず、本発明の実施の形態に係るドラム式洗濯乾燥機１は、洗濯乾燥機筐体２内に図示しないサスペンション構造によって水槽３が宙吊り状態に配設され、水槽３内に有底円筒形に形成された回転ドラム４がその軸心方向を正面側から背面側に向けて下向きに傾斜させて配設されている。水槽３の正面側には回転ドラム４の開口端に通じる衣類出入口が形成され、洗濯乾燥機筐体２の正面側に形成された上向き傾斜面に設けられた開口部を開閉可能に閉じる扉５を開くことにより、衣類出入口を通じて回転ドラム４内に対して洗濯物を出し入れすることができる。扉５が上向き傾斜面に設けられているため、洗濯物を出し入れする作業を、腰を屈めることなく実施でき、一般には横向きにある開口部から洗濯物を出し入れするドラム式洗濯機の作業性の悪さが改善されている。
【００２６】
回転ドラム４には、その周壁４ａおよび底壁４ｂに水槽３内に通じる多数の透孔４ｃが形成されるととともに、その底壁４ｂには、水槽３に形成された導風口１８に対向する円周方向に沿った複数位置に底面開口４ｄが形成されており、さらに、周壁４ａ内面の複数位置に攪拌突起４ｅが設けられている。この回転ドラム４は、水槽３の背面側に取り付けられたモータ６によって正転および逆転方向に回転駆動される。また、水槽３には、給水管路７および排水管路８が配管接続され、図示しない給水弁および排水弁の制御によって水槽３内への給水および水槽３内からの排水がなされる。
【００２７】
扉５を開いて開口部から回転ドラム４内に洗濯物を投入し、洗剤容器（図示省略）に洗剤を投入して、ドラム式洗濯乾燥機１の運転を開始すると、水槽３内には給水管路７から所定量の注水がなされ、モータ６により回転ドラム４が回転駆動されて洗濯工程が開始される。回転ドラム４の回転により、回転ドラム４内に収容された洗濯物は回転ドラム４の内周壁に設けられた攪拌突起４ｅによって回転方向に持ち上げられ、持ち上げられた適当な高さ位置から落下する攪拌動作が繰り返されるので、洗濯物には叩き洗いの作用が及んで洗濯がなされる。
【００２８】
所要の洗濯時間が経過した後、汚れた洗濯液は排水管路８から排出され、回転ドラム４を高速で回転させる脱水動作により洗濯物に含まれた洗濯液を脱水し、その後、水槽３内に給水管路７から給水してすすぎ・脱水工程が実施される。このすすぎ・脱水工程においても、回転ドラム４内に収容された洗濯物は、回転ドラム４の回転により攪拌突起４ｅにより持ち上げられて落下する攪拌動作が繰り返され、すすぎ洗いが実施される。そして、すすぎ洗いを実施した後、再度、回転ドラム４を高速で回転させる脱水動作により洗濯物に含まれた水を脱水して、すすぎ・脱水工程を終了する。
【００２９】
このドラム式洗濯乾燥機１には、回転ドラム４内に収容した洗濯物を乾燥する機能が設けられ、水槽３内の空気を排気して除湿し、加熱した乾燥空気を再び水槽３内に送風する循環送風経路９が設けられている。この循環送風経路９の途中には、洗濯乾燥機筐体２内の下位の位置に、蒸発器１０などの除湿手段、凝縮器１１などの加熱手段および送風ファン１２などの送風手段が設けられている。循環送風経路９は、水槽３から送風ファン１２に至る間の循環空気導入管路１３と、送風ファン１２から水槽３に至る間の乾燥空気送風管路１４とで構成されており、乾燥空気送風管路１４おける水槽３底面に形成された導風口１８に近接した上方の位置にミスト生成装置３０が接続されている。
【００３０】
そして、ミスト生成装置３０に給水する同じ給水経路（後述の注水ホース３４）を通じて金属イオン溶出装置３７（イオン溶出装置）が接続され、かつ、金属イオン溶出装置３７を上流側にしてミスト生成装置３０と金属イオン溶出装置３７とが直列に配置されている。
【００３１】
乾燥空気送風管路１４は、洗濯乾燥機筐体２内の後方（水槽３の背面側）の空間において、上流側から順に、下部管路１５、可撓ダクト１６および上部管路１７をもって構成されており、上部管路１７の下流端の下方に連通口１７ａが開口され、この連通口１７ａは水槽３の背面に設けられた導風口１８に接続されている。上部管路１７は、その下方部分においては筐体２の中央寄りに傾斜して立ち上げられ、途中で略９０°屈曲されて、その上方部分においては水槽３の導風口１８に向けて下方に傾斜している。可撓ダクト１６は、可撓性を有する管材を用いて構成され、回転ドラム４の回転あるいは始動・停止に伴う下部管路１５の振動が送風ファン１２側に伝達されるのを防止している。蒸発器１０で除湿され、凝縮器１１で加熱された乾燥空気は、乾燥空気送風管路１４を経由して、この導風口１８から水槽３、およびその内部に位置する回転ドラム４に送り込まれる。
【００３２】
送風ファン１２を高速で回転駆動することにより、循環送風経路９に空気の流れが発生して、洗濯物を収容した回転ドラム４内の湿気た空気は、周壁４ａに設けられた透孔４ｃを通じて水槽３から送風ファン１２側への循環空気導入管路１３に排気され、送風ファン１２の上流に位置する蒸発器１０により水分を結露させて除湿されるとともに、凝縮器１１との熱交換により加熱されることにより、高温の乾燥空気とされる。
【００３３】
この加熱された乾燥空気は、送風ファン１２から水槽３への乾燥空気送風管路１４に送り出されて、水槽３に設けられた導風口１８を介して水槽３内に送り込まれる。水槽３内に送り込まれた高温の乾燥空気は、回転ドラム４の底壁４ｂに設けられた底面開口４ｄおよび透孔４ｃを通じて回転ドラム４内に導入され、衣類などの洗濯物の間を流通し、乾燥させながら、湿った空気となって周壁４ａに設けられた透孔４ｃから水槽３へと抜け、再度、循環空気導入管路１３へと導入される。このような循環送風経路９（循環空気導入管路１３、乾燥空気送風管路１４）での空気の循環により乾燥工程が実施される。
【００３４】
ここで、本実施の形態に係るドラム式洗濯乾燥機１には、後述するミスト生成装置３０および、回転ドラム４を回転させながら乾いた衣類のシワをのばして低減させることを目的とした「シワのばしコース」が設けられている。この「シワのばしコース」においては、蒸発器１０および凝縮器１１を停止させ、回転ドラム４および送風ファン１２の回転速度を通常の乾燥工程におけるよりも低速で回転させるとともに、ミスト生成装置３０を起動させることにより、ミスト生成装置３０で微細な液滴からなるミスト２０を発生させ、このミスト２０を乾燥空気送風管路１４を流通する乾燥空気流に落とし込んで、詳しくは後述するが、ミスト２０中に微細なウェットミストおよびドライミストが多く存在する状態で水槽３に送り込み、回転ドラム４内に導入する。このようにして、回転ドラム４内の隅々にまでミスト２０を充満させ、衣類表面を効果的に湿らせて、乾燥状態にある衣類のシワを低減させるシワ低減効果を持たせた工程が実行される。さらに、その後、ミスト生成装置３０を停止させ、回転ドラム４および送風ファン１２の回転速度を通常の乾燥工程と同じ速度にまで上昇させるとともに、蒸発器１０および凝縮器１１を動作させて、通常の乾燥運転を実施して、衣類を乾燥させながらその衣類のシワをのばすことができる。なお、上記の「シワのばしコース」においては、必ずしも回転ドラム４を回転させなくてもよい。
【００３５】
また、上記の「シワのばしコース」においては、上記のようにミスト２０でシワを低減することが可能であるとともに、さらに以下の原理により脱臭効果も期待できるものである。通常、臭いは、臭い成分が分子として衣類表面に付着している。例えば、タバコ、焼肉の臭いなどがそうであるが、この臭い分子にミスト２０がぶつかることで、臭い分子を水の分子自身に溶かし込む作用により、衣類から脱離させる。そして、このようなミスト処理後に、乾燥運転を行い、臭い成分が溶解している水を高温低湿な空気により蒸発させることで、臭い分子が衣類に再付着することを防止し、脱臭することが可能となる。
【００３６】
次に、本発明に係るミスト生成装置３０の構成および「シワのばしコース」について、図５、図６および前掲の図面に基づき詳細に説明する。図５は、本発明の実施の形態に係るドラム式洗濯乾燥機のミスト生成装置の構造を説明するための側面断面図であり、図６は、その背面断面図である。
【００３７】
ミスト生成装置３０は、この導風口１８に近接した上方の位置に配設され、ミスト発生源としての水２１を貯留する水溜め容器３１と、水溜め容器３１に貯留された水２１に対して超音波振動を加える超音波振動子３２と、水溜め容器３１に水２１を注入する注水装置３３と、水溜め容器３１内の水温を測定する水温センサ３５と、を備えて構成されている。そして、ミスト生成装置３０の水溜め容器３１が、水槽３の背面において導風口１８に隣接した上方位置に配置され、導風口１８の上方に位置する接続口３１ｅを介して直接乾燥空気送風管路１４（循環送風経路９）の上部管路１７に接続されている。
【００３８】
水溜め容器３１は、水槽３の背面外側に隣接して固定され、水溜め容器３１の水槽３に対向する前方側の側壁３１ｂが水槽３の背面に沿って鉛直方向に対して傾斜して形成され、後方側の側壁３１ｂが洗濯乾燥機筐体２の背面パネルに沿って鉛直方向に形成され、水溜め容器３１の底壁３１ａ側が幅広に形成されている。
【００３９】
この水溜め容器３１には、ミスト発生源としての水２１が貯留されており、その上部にこの水２１を注水装置３３から注入する注水口３１ｃが設けられ、上部管路１７に対向する側の側壁３１ｂに開口堰３１ｄが設けられ、これにより、導風口１８の上方部分で上部管路１７に接続する接続口３１ｅが設けられている。注水口３１ｃから水溜め容器３１内に注入された水２１をこの開口堰３１ｄから接続口３１ｅを介して導風口１８上方の上部管路１７にオーバーフローさせることにより、簡単な構成で水溜め容器３１内の水２１を一定の水位に保つように構成している。なお、この開口堰３１ｄからオーバーフローした水２１は、接続口３１ｅ、上部管路１７および導風口１８を介して水槽３に送給され、排水管路８を経由して機外に排出される。
【００４０】
超音波振動子３２は、超音波振動を発生させる圧電素子の振動面３２ａを水溜め容器３１の底壁３１ａに密着させて配置されており、圧電素子を作動させることにより、超音波発信方向３２ｂ（振動面３２ａに垂直な方向）に超音波振動が伝達されて水溜め容器３１内の水２１に液柱２２が形成される。なお、図６に示すように、超音波振動子３２は、振動面３２ａが接続口３１ｅの反対側に向くように傾斜して取り付けられているので、液柱２２は、接続口３１ｅの反対側の側壁３１ｂ内面方向に向いて形成される。この液柱２２の形成に伴い、矢印で示すように水溜め容器３１内の水２１には液柱２２に沿って上昇し、側壁３１ｂ内面に沿って下降および上昇する、水２１および空気の対流が発生する。それとともに、この液柱２２を通して伝達された超音波振動が水２１の表面を微細に振動させ、これにより液柱２２の先端付近の表面張力を弱めて、液柱２２の微細な振動に応じた微細な液滴であるミスト２０（霧）を発生させ、このミスト２０は、前記した水２１の対流運動に押し出されるようにして超音波発信方向３２ｂに向けて放出される、水２１および空気の対流に従って側壁３１ｂ内面に沿って下降および上昇し、その後、貯留された水２１の表面および側壁３１ｂ内面に沿って接続口３１ｅを介して導風口１８上方の上部管路１７に放出される。そして、上部管路１７に放出されたミスト２０は、すぐ下方の導風口１８から水槽３に送り込まれ、さらに、回転ドラム４の底面開口４ｄを回転ドラム４内に導入される。
【００４１】
さらに、本実施の形態においては、ミスト２０を回転ドラム４内に導入する際に、送風ファン１２を５００ｒｐｍ程度の回転速度で回転させている。このときの循環送風経路９内での空気流の送風量は０．０７ｍ3 ／ｍｉｎとなり、通常の乾燥工程における定格運転時（送風ファン１２を回転速度５８００ｒｐｍで回転させ、乾燥空気送風管路１４に２．２ｍ3 ／ｍｉｎの風量の乾燥空気が送り込まれる）に対して、回転ファンの回転速度で１／１０程度、送風量で１／３０程度に相当している。このような弱い風量で乾燥空気送風管路１４に空気を流通させることにより、ミスト２０を導風口１８から回転ドラム４内に押し込む風圧が作用して、適正に回転ドラム４内に導入することができるとともに、さらに、ウェットミストとともに、浮遊性の高いドライミストも同時に導風口１８から回転ドラム４内に導入することができ、衣類の温度が常温近くにあり、ミスト２０の温度が高い場合、衣類表面に水分が凝縮して、より一層効率的に衣類を湿らせることができる。
【００４２】
このような効果を得るための循環送風経路９内での空気流の送風量としては、０．０５ｍ3 ／ｍｉｎ〜１．００ｍ3 ／ｍｉｎが適当であり、この送風量が０．０５ｍ3 ／ｍｉｎ未満であると、ウェットミストが回転ドラム４内に導入される際に、回転ドラム４内にある衣類が障害となって、回転ドラム４内に十分入り込めず、その一部が水槽３と回転ドラム４との間に流れ落ちることもあり、さらに、ドライミストの回転ドラム４内に導入される量が減って上記の効果が十分に得られないことになる。また、循環送風経路９内での空気流の送風量が１．００ｍ3 ／ｍｉｎを超えると、ウェットミストが乾燥空気送風管路１４（上部管路１７）の管壁に衝突してウェットミストの存在比率を減少させ、かつドライミストも衣類に付着することなく、回転ドラム４内を通過してしまうことになる。
【００４３】
さらに、本実施の形態においては、図３および図６に示すように、水溜め容器３１の乾燥空気送風管路１４に繋がる接続口３１ｅの上方部近辺に整流フィン３６（整流手段）を設けている。整流フィン３６は、接続口３１ｅから乾燥空気送風管路１４側に入った位置で乾燥空気送風管路１４を水平に横断する板状の部材により構成されている。上述したように、「シワのばしコース」において送風ファン１２を回転駆動したとき、乾燥空気送風管路１４内に空気の流れが発生するが、整流ファン３６を設けない場合、空気送風管路１４内を流通してきた空気が接続口３１ｅからミスト生成装置３０（水溜め容器３１）内部に入りにくいが、整流フィン３６を設けることにより、破線矢印で示すように、空気の一部が整流フィン３６の上方部分を通過することによって分岐され、接続口３１ｅの上方部からミスト生成装置３０内に導入され、その後、ミスト生成装置３０内を循環して、接続口３１ｅから再び乾燥空気送風管路１４に戻る空気の流れが形成されることになる。このような状態の中で、ミスト生成装置３０で発生したミスト２０は、上述した空気の流れに乗って乾燥空気送風管路１４に流れ込み、さらに、自重および空気の流れにより、導風口１８に向けて落とし込まれ、水槽３、さらには回転ドラム４内に導入されることになる。
【００４４】
なお、液柱２２は、上述したように接続口の反対側の側壁内面に向かって傾斜して形成されるので、液柱２２によって水２１が直接接続口を介して上部管路内にこぼれてしまうのを防止することができため、水溜め容器３１内の水２１の余分な減少を防止することができる。
【００４５】
注水装置３３は、水溜め容器３１においてミスト２０発生により消費された水２１を補給するためのものであり、注水装置３３の下方に設けられた給水口３３ａと水溜め容器３１の注水口３１ｃとの間は注水ホース３４によって接続され、その間の適所に開閉弁（図示省略）と金属イオン溶出装置３７を備えている。注水装置３３は、ミスト生成装置３０を起動させた最初の段階で、開閉弁を開いて、水溜め容器３１内に水が溜まるのに十分な所定時間だけ、注水装置３３の給水口３３ａから注水ホース３４を介して水２１を送給するとともに、過剰な水２１を側壁３１ｂの開口堰３１ｄからオーバーフローさせて、水溜め容器３１内の水２１を一定の水位に保つ。この起動初期における注水動作は、休止中に蒸発等により減った水溜め容器３１内の水２１を補充し、常に一定水位の状態下でミスト生成装置３０を運転するためのものである。
【００４６】
水温センサ３５は、サーミスタ等を用いて構成され、水溜め容器３１内の水温を測定するものである。水温センサ３５により測定された水温が所定温度（超音波振動子３２の使用上限温度あるいはそれより少し低い温度に設定）を超えた場合には、注水装置３３から水２１を補給して、水温を下げ、常に水溜め容器３１内の水温が上記の所定温度を超えないようにする。
【００４７】
ミスト生成装置３０により発生するミスト２０は、その粒径により浮遊性や表面張力（濡れ性）などの特性が異なる。すなわち、粒径１０μｍ未満の超微細ミストは、ドライミストとも呼ばれ、極めて微細であるため、表面張力が高く、浮遊性が高いが、物に付着したときの濡れ性が低いといった特徴を有している。粒径１０〜５０μｍの微細ミストは、ウェットミストとも呼ばれ、上記のドライミストと比較して粒子径が相対的に大きいため、表面張力が弱く、物に付着したときの濡れ性が高いといった特徴を有している。粒径５０μｍを越える比較的粗大なミストは、水滴に近い性質を持っている。
【００４８】
そして、ミスト生成装置３０で発生したミスト２０は、導風口１８まで移動する間に水溜め容器３１の側壁３１ｂや上部管路１７の管壁に衝突したり、あるいは、互いに凝集したりして、次第に粗大ミストが脱落分離され、微細なウェットミストがその存在比率を増していく。そして、ウェットミストを主体とする状態で回転ドラム４内に導入される。ここで、ウェットミストを主体とする状態のミスト２０とは、ウェットミストが体積存在率で全体の５０％を超える状態であり、レーザ回折散乱法による測定装置で測定されミスト２０の粒度分布において、平均粒径（メディアン径Ｄ50 ）が１０〜５０μｍの範囲にある状態を意味する。
【００４９】
ミスト２０が導風口１８まで移動する間の経路が長かったり、その経路途中に屈曲部が存在したりすると、微細なウェットミストまでが凝集して脱落分離され、ミスト２０中のウェットミストの存在比率が減少し、ドライミストを主体としたミスト２０になるため、望ましくない。上記した構成によると、ミスト生成装置３０で発生したミスト２０が、導風口１８の上方に位置するミスト生成装置３０（水溜め容器３１）と乾燥空気送風管路１４（上部管路１７）との接続口３１ｅから、乾燥空気送風管路１４に送り込まれ、自重で落下し、導風口１８から、ウェットミストを主体とする状態で水槽３に落とし込まれ、さらに回転ドラム４内に導入される。しかも、送風ファン１２が洗濯乾燥機筐体２内の下位の位置に配置され、この送風ファン１２から乾燥空気送風管路１４に乾燥空気が送り込まれるので、ミスト２０が導入されるミスト生成装置３０の接続口３１ｅでは、送風ファン１２からの風圧（動圧）の影響を受けることなく、ミスト２０が乾燥空気流中に導き入れられることになる。
【００５０】
このように、ミスト生成装置３０から導風口１８まで移動経路が短く、しかも、自重で落下するように構成されているため、移動経路の途中でのウェットミストの凝集を抑制し、濡れ性に優れた粒径１０〜５０μｍのウェットミストを主体とする状態でミスト２０を回転ドラム４内に導入して充満させることができ、衣類表面を効果的に湿らせることができるとともに、このような状態の衣類を乾燥することにより、衣類に入ったシワを効果的に低減することができる。
【００５１】
さらに、「シワのばしコース」においては、必ずしも回転ドラム４を回転させなくても衣類のシワ低減効果が得られるが、本実施の形態では上述したように、回転ドラム４を回転させている。回転ドラム４内にある衣類は常温の乾燥した状態にあるのに対して、超音波振動子３２の発振により水溜め容器３１内の水温が上昇するため、発生するミスト２０は高温になる。したがって、ドライミストも高温の状態で回転ドラム４内に導入することができるため、ウェットミストだけでなく、ドライミストも、ミストの温度よりも低い温度にある衣類の表面および回転ドラム４の周壁４ａ等に容易に凝縮して結露するが、このとき回転ドラム４を回転駆動させることにより、衣類がかき混ぜられ、ドライミストを含むミスト２０が衣類に邪魔されずに回転ドラム４内に導入することができ、衣類全体をさらに効率的に湿らせることができる。
【００５２】
本実施の形態においては、ミスト２０を接続口３１ｅから乾燥空気送風管路１４に送り込み、自重により落下させ、空気流に乗せて、導風口１８から水槽３、さらには回転ドラム４内に導入するとともに、ミスト導入時（ミスト生成装置起動時）においては、回転ドラム４を衣類がかき混ぜられる４５ｒｐｍ程度の回転速度で静かに回転させている。このように、回転ドラム４を静かに回転させることにより、そのままでは回転ドラム４内の底部付近に滞留しやすいウェットミストを回転ドラム４内の隅々にまで充満させることができ、回転ドラム４内の衣類を濡れ性の高いウェットミストにより効果的に湿らせることができる。そして、このような状態の衣類を乾燥することにより、衣類に入ったシワを効果的に低減することができる。
【００５３】
このようなウェットミストを回転ドラム４内の隅々にまで充満させるため、回転ドラム４を静かに回転させるときの回転速度は１５〜８０ｒｐｍが適当であり、この回転速度が１５ｒｐｍ未満であると、導風口から導入されたミスト２０の一部が回転ドラム４の底部付近に滞留することになり、回転速度が８０ｒｐｍを超えると、ミスト２０の一部が遠心力で回転ドラム４の側壁の方に押しやられ、側壁等に衝突してウェットミストの存在比率を減少させることになる。
【００５４】
次に、本発明に係る金属イオン溶出装置３７の作動原理について、図７に基づき詳細に説明する。図７は、本発明の実施の形態に係るドラム式洗濯乾燥機の金属イオン溶出装置の作動原理を説明するための構成模式図である。
【００５５】
金属イオン溶出装置３７は、水２１の流入口と流出口が形成された容器内の流水経路に、互いに平行に対向する形で２つの電極（陽極３８と陰極３９）を配置したものである。これらの陽極３８と陰極３９のうち、少なくとも陽極３８は金属製の電極で構成され、陽極３８と陰極３９との間に所定の電圧を印加することにより電気分解反応が起こり、陽極３８側から陽極３８を構成する金属のイオンが溶出される。本実施の形態では、本発明のドラム式洗濯乾燥機１が「Ａｇコース」を備えることから、陽極３８に銀電極を使用している。このような金属イオン溶出装置３７では、電圧の印加の有無により金属イオンの溶出／非溶出を選択することができ、しかも、電流を制御することにより金属イオンの溶出量を制御することができる。
【００５６】
なお、陽極３８を構成する金属は、銀に限定されることなく、銅、亜鉛、またはそれらの合金であってもよい。これらの金属はいずれも、抗菌性を有し、特に、銀電極から溶出する銀イオンおよび亜鉛電極から溶出する亜鉛イオンは、殺菌効果に優れ、銅電極から溶出する銅イオンは、防カビ性に優れている。また、銀、銅、亜鉛を含んでなる合金であれば、成分金属のイオンを同時に溶出させることができ、その金属イオンの特徴である抗菌性、殺菌性、防カビ性を兼ね備えたものとすることもできる。
【００５７】
金属イオン溶出装置３７は、注水ホース３４のミスト生成装置３０の上流側に配置されて接続され、陽極３８と陰極３９との間に所定の電圧を印加することにより、金属イオンを含む水２１をミスト生成装置３０の水溜め容器３１に供給する。このように金属イオン溶出装置３７を作動させて、金属イオンを含む水２１をミスト生成装置３０の水溜め容器３１に供給するタイミングは、本実施の形態においては、「Ａｇコース」を実行している間と、「シワのばしコース」を実行した後である。また、「Ａｇコース」においては、ミスト生成装置を作動させない。
【００５８】
本実施の形態において、「Ａｇコース」を実行するときには、すすぎ工程におけるすべてのステップまたは少なくとも最終のすすぎステップで、金属イオン溶出装置３７で生成された金属イオンが溶出した水２１が、ミスト生成装置３０の水溜め容器３１に供給され、水溜め容器３１からオーバーフローして、乾燥空気送風管路１４の導風口１８から回転ドラム４内に送給され、この経路とは別の洗剤容器を経て同じく回転ドラム４内に供給される水で希釈されて、洗濯物のすすぎが実施される。このようにすすぎ工程で洗濯物に金属イオンが溶出した水２１を供給することにより、洗濯物の内部にまで金属イオンを浸透させることができるため、他の方法、例えば、ミスト２０中に金属イオンを含ませるよりも有利であり、乾燥後の衣類への付着効率も高くなる。金属イオン溶出装置の陽極３８・陰極３９間に印加する電流を制御したり、洗剤容器を経て供給される水との希釈率を制御したりすることにより、すすぎ水中の金属イオンの濃度を制御することができ、これによって乾燥後の衣類に所望の除菌・抗菌効果を付与することができる。
【００５９】
一方、本実施の形態においては、ミスト生成装置３０で発生したミスト２０を回転ドラム４内に送り込んで、洗濯物の「シワのばし工程」を実施した後、最終の乾燥工程を実施するまでの間、あるいは実施している間に、ミスト生成装置３０の水溜め容器３１に、金属イオン溶出装置３７により生成された金属イオンが溶出した水２１を供給して貯留する。これにより、水溜め容器３１に貯留された水２１が除去されずに長期間放置されても、あるいは、強制的に排除しなくても、水溜め容器３１に貯留された水２１にカビや菌が繁殖することがないようにすることができる。なお、「シワのばし工程」において、ミスト生成装置３０によりミスト２０を発生させるときには、金属イオン溶出装置３７では金属イオンを溶出させずに、単に金属イオン溶出装置３７の中を通過した水２１がミスト生成装置３０に供給される。
【００６０】
ミスト生成装置３０を作動させた後に、水溜め容器３１内に貯留されている水２１を強制的に排出しようとすれば、水溜め容器３１内の水２１を排除する機構（排水経路や開閉弁など）を設けたり、そのための制御を追加したりする必要があり、また、排除し切れなかった水２１が残留して水垢となって水溜め容器３１内に付着して残るといった問題があった。また、水溜め容器３１内の水を蒸発させて除去しようとすれば、水溜め容器３１の容量を余り大きくできず、ミスト２０の発生量を減少させてしまうという問題が生じる。これらに対して、本実施の形態では、ミスト生成装置３０およびイオン溶出装置３７に水２１を供給する排水ホース３４の上流側に一つの開閉弁を配設するだけでよく、この開閉弁を共通化させることにより部品点数を減らし、給水経路（排水ホース３４）を簡単な構成とすることが可能となるので、製造コストを低減することができる。
【００６１】
さらに、ミスト生成装置３０におけるミスト２０の生成、およびイオン溶出装置３７における金属イオンの溶出は、電気的に制御可能であり、給水経路が同じであっても、ミスト２０の生成および／または金属イオンの溶出を行う、あるいはミスト２０の生成も金属イオンの溶出も行わないといったプロセスの選定を容易に実現することができる。
【００６２】
（上記実施の形態における変形例）
上記の実施の形態では、水溜め容器３１の側壁３１ｂに開口堰３１ｄ設けられ、ミスト生成装置３０を起動させる最初の段階で、注水装置３３から水溜め容器３１に水２１を注入して、開口堰３１ｄからオーバーフローさせる動作を自動的に行うように構成していたが、図８に示すように、この開口堰３１ｄに加えて、圧力検知式等の水位センサ３７を水溜め容器３１の底壁３１ａもしくはその周辺部に設けても良い。そして、この水位センサ３７により測定された水位が、水溜め容器３１の底壁３１ａから所定水位（例えば、１０ｍｍ）未満となったときに、注水装置３３から水溜め容器３１に水２１を注入するように構成すれば良い。これにより、ミスト生成装置３０を起動させる最初の段階で注水装置３３から水溜め容器３１に自動的に注水する動作を行うことなく、過度に水位が低下している場合にだけ注水動作を実行することにより、水溜め容器３１内の水位を所定水位以上に保って、超音波振動子３２が劣化しやすくなるのを防止することができる。
【００６３】
なお、上記の実施の形態では、ミスト生成装置３０内のミスト発生源として水２１を用いた例を説明したが、用途に応じて、Ａｇイオン電解液、洗剤液、消臭液、除菌液等を用いてもよく、それぞれの液剤（ミスト発生源）に対応した効果を得ることができる。
【産業上の利用可能性】
【００６４】
上記の実施の形態では、回転ドラムを傾斜配置したドラム式洗濯乾燥機を例にとって、本発明の技術的内容を説明したが、回転ドラムを水平方向に配した（回転ドラムの軸心を鉛直方向に配した）洗濯機にも本発明の技術的内容を適用することができ、また、乾燥機を伴わない洗濯機にも適用することができる。
【図面の簡単な説明】
【００６５】
【図１】本発明の実施の形態に係るドラム式洗濯乾燥機の構造を説明するための側面断面図である。
【図２】本発明の実施の形態に係るドラム式洗濯乾燥機のミスト生成装置金属およびイオン溶出装置の配置を説明するための筐体背面側から見た斜視図である。
【図３】本発明の実施の形態に係るドラム式洗濯乾燥機のミスト生成装置金属およびイオン溶出装置との接続構造を説明するための筐体背面側から見た一部を切り欠いて示す断面図である。
【図４】本発明の実施の形態に係るドラム式洗濯乾燥機のミスト生成装置と水槽との接続構造を説明するための側面断面図である。
【図５】本発明の実施の形態に係るドラム式洗濯乾燥機のミスト生成装置の構造を説明するための側面断面図である。
【図６】本発明の実施の形態に係るドラム式洗濯乾燥機のミスト生成装置の構造を説明するための背面断面図である。
【図７】本発明の実施の形態に係るドラム式洗濯乾燥機の金属イオン溶出装置の作動原理を説明するための構成模式図である。
【図８】本発明の別の実施の形態に係るドラム式洗濯乾燥機のミスト生成装置の構造を説明するための側面断面図である。
【図９】ミスト生成装置を備える従来の洗濯乾燥機の構造を説明するための断面図である。
【図１０】金属イオン溶出装置、ミスト生成装置を備える従来の洗濯乾燥機の構造を説明するための断面図である。
【符号の説明】
【００６６】
１      ドラム式洗濯乾燥機
２      洗濯乾燥機筐体
３      水槽
４      回転ドラム
９      循環送風経路
１０    蒸発器（除湿手段）
１１    凝縮器（加熱手段）
１２    送風ファン（送風手段）
１８    導風口
２０    ミスト
２１    水（液体）
３０    ミスト生成装置
３１    水溜め容器
３１ｅ  接続口
３２    超音波振動子
３３    注水装置
３４    注水ホース
３５    水温センサ
３６    整流フィン
３７    金属イオン溶出装置
【図１】
2008220561.tif 000003
【図２】
2008220561.tif 000004
【図３】
2008220561.tif 000005
【図４】
2008220561.tif 000006
【図５】
2008220561.tif 000007
【図６】
2008220561.tif 000008
【図７】
2008220561.tif 000009
【図８】
2008220561.tif 000010
【図９】
2008220561.tif 000011
【図１０】
2008220561.tif 000012